(57)【要約】【課題】太陽電池モジュールの裏面側の空間から、効率的に熱量を排出して太陽電池の発電効率の低下を防ぐことができる太陽電池パネルの敷設構造を提供する。【解決手段】本発明は、太陽電池モジュール１０の周縁に側壁を有する枠体１１〜１４を設けた太陽電池パネル１を下地（３０，４）上に敷設してなる敷設構造であって、太陽電池パネル１の枠体１１〜１４のうち、少なくとも流れ方向の上側枠１１は、開口部１１０を備え、流れ方向に隣接する太陽電池パネル１は、一定の間隔で敷設して開放部１５を形成すると共に、この開放部１５の風上側に敷設状態で太陽電池パネルの表面から突出する起立部２を設けたことを特徴とする。【選択図】図１
2014125834.tif 000002
【特許請求の範囲】
【請求項１】
太陽電池モジュールの周縁に側壁を有する枠体を設けた太陽電池パネルを下地上に敷設してなる敷設構造であって、
前記太陽電池パネルの枠体のうち、少なくとも流れ方向の上側枠は、開口部を備え、
流れ方向に隣接する太陽電池パネルは、一定の間隔で敷設して開放部を形成すると共に、この開放部の風上側に敷設状態で太陽電池パネルの表面から突出する起立部を設けたことを特徴とする太陽電池パネルの敷設構造。
【請求項２】
開口部は、側壁の下方部分に形成した部分的或いは一定幅の空部、もしくは側壁に形成した複数の孔であることを特徴とする請求項１に記載の太陽電池パネルの敷設構造。
【請求項３】
太陽電池パネルを傾斜状に敷設することで段状としたことを特徴とする請求項１又は２に記載の太陽電池パネルの敷設構造。
【発明の詳細な説明】
【技術分野】
【０００１】
本発明は、太陽電池モジュールの裏面側の空間から、効率的に熱量を排出して太陽電池の発電効率の低下を防ぐことができる太陽電池パネルの敷設構造に関する。
【背景技術】
【０００２】
近年、地球温暖化の緩和を目的として、その原因である温室効果ガスのうち、二酸化炭素（ＣＯ2）の排出が少ない社会（低炭素社会）を構築するため、従来の石油や石炭等の資源に依存するエネルギーに代え、太陽光を用いた再生可能エネルギーを普及するという社会的気運の高まりがある。また、政府や自治体が、積極的に太陽電池モジュールを導入する需要に対して補助を行ったり、余剰の電力を電力会社が買い取る機構もまた構築されている。
【０００３】
太陽光を効率的に利用する太陽電池モジュールにおいて、太陽電池の発電効率は、裏面が高温になると発電効率が低下することが知られている。
そのため、特許文献１に示されるように太陽電池モジュール１の周縁部に位置させたフレーム材２の全てに複数の「孔」を開設して連通部３を形成し、太陽電池モジュール１の裏面側の空間を各連通部３に連通させることにより、温度上昇を抑制するものが提案されている。
【先行技術文献】
【特許文献】
【０００４】
【特許文献１】特開２０００−１０１１２０号公報
【発明の概要】
【発明が解決しようとする課題】
【０００５】
しかしながら、前記特許文献１に記載の構造では、軒先側の「孔」から、又は側方側の「孔」から、もしくはルーフィング７と横桟４の間から流入した空気は、棟方向に向かって流れるものの、排出は複数敷設した太陽電池の最上部すなわち棟側でしか行えないため、十分な排気が行えるものではなかった。
また、排気は、空気の流入量に影響を受けるため、風速が弱かったり、流入量が小さい（少ない）場合等には、排出量も少なくなり、十分な排気が行えず、多くの熱量は空間内に滞留するものであった。
さらに、軒棟方向及び左右方向の全てのフレーム材２に「孔」を形成しているため、十分な強度が得られない虞があった。
【０００６】
そこで、本発明は、太陽電池モジュールの裏面側の空間から、効率的に熱量を排出して太陽電池の発電効率の低下を防ぐことができる太陽電池パネルの敷設構造を提供することを目的とする。
【課題を解決するための手段】
【０００７】
本発明は、上記に鑑み提案されたものであって、太陽電池モジュールの周縁に側壁を有する枠体を設けた太陽電池パネルを下地上に敷設してなる敷設構造であって、前記太陽電池パネルの枠体のうち、少なくとも流れ方向の上側枠は、開口部を備え、流れ方向に隣接する太陽電池パネルは、一定の間隔で敷設して開放部を形成すると共に、この開放部の風上側に敷設状態で太陽電池パネルの表面から突出する起立部を設けたことを特徴とする太陽電池パネルの敷設構造に関するものである。
【０００８】
また、本発明は、前記太陽電池パネルの敷設構造において、開口部は、側壁の下方部分に形成した部分的或いは一定幅の空部、もしくは側壁に形成した複数の孔であることを特徴とする太陽電池パネルの敷設構造をも提案する。
【０００９】
また、本発明は、前記太陽電池パネルの敷設構造において、太陽電池パネルを傾斜状に敷設することで段状としたことを特徴とする太陽電池パネルの敷設構造をも提案する。
【発明の効果】
【００１０】
本発明の太陽電池パネルの構築構造は、太陽電池モジュールの裏面側の空気（熱量）を上側枠に設けた開口部から排出することができ、しかも起立部にて太陽電池パネルの表面を流れる空気の流れに乱流を形成することにより、裏面側の空気を吸い出す作用を果たすために、太陽電池の温度上昇を抑制し、発電効率の低下を防ぐことができる。
【００１１】
また、開口部は、側壁の下方部分に形成した部分的或いは一定幅の空部、もしくは側壁に形成した複数の孔である場合には、開口部を極めて容易に形成することができる。特に前者の態様では、空部を太陽電池モジュールのケーブルを通す空間として利用することができ、雨水や積雪等を堰き止めることなく、太陽電池モジュールの裏面側へ導くこともできる。また、後者の態様では、上側枠の水上側に沿わせる固定部材等の係止縦片と固定するための締着ボルトの取付箇所としても用いることができる。
【００１２】
また、太陽電池パネルを傾斜状に敷設することで段状とした場合には、太陽光を効率良く受けることができる角度に太陽電池パネルを設置することができ、しかも太陽電池モジュールの裏面空間の上端の傾斜勾配も強くなるため、より容易に空気（熱量）を排出することができる。
【図面の簡単な説明】
【００１３】
【図１】（ａ）本発明の太陽電池パネルの敷設構造の一実施例（第１実施例）を示す斜視図、（ｂ）それに用いた持出金具の拡大斜視図である。
【図２】（ａ）第１実施例の太陽電池パネルの敷設構造の平面図、（ｂ）その正断面図、（ｃ）その側断面図、（ｄ）Ａ−Ａ線における拡大断面図である。
【図３】他の一実施例（第２実施例）の太陽電池パネルの敷設状態のみを示す斜視図である。
【図４】他の一実施例（第３実施例）の太陽電池パネルの敷設構造を示す斜視図である。
【図５】（ａ）第３実施例の太陽電池パネルの敷設構造の要部を拡大して示す側断面図、（ｂ）その正断面図、（ｃ）第４実施例の太陽電池パネルの敷設構造の要部を拡大して示す側断面図である。
【図６】第３及び第４実施例に用いる太陽電池パネルを水上側から見た斜視図である。
【図７】（ａ）他の一実施例（第５実施例）の太陽電池パネルの敷設構造を示す斜視図、（ｂ）それに用いた取付部材を拡大して示す斜視図である。
【図８】（ａ）第５実施例の太陽電池パネルの敷設構造の要部を拡大して示す側断面図、（ｂ）その正断面図、（ｃ）それに用いた支持部材の断面図である。
【図９】（ａ）〜（ｃ）本発明における太陽電池パネルの配設例を示す断面図である。
【発明を実施するための形態】
【００１４】
本発明は、太陽電池モジュールの周縁に側壁を有する枠体を設けた太陽電池パネルを下地上に敷設してなる敷設構造であって、前記太陽電池パネルの枠体のうち、少なくとも流れ方向の上側枠は、開口部を備え、流れ方向に隣接する太陽電池パネルは、一定の間隔で敷設して開放部を形成すると共に、この開放部の風上側に起立部を設けたことを特徴とする。
【００１５】
本発明に用いる太陽電池モジュールは、結晶系等の太陽電池セルをガラス等に積層させてモジュール化したものであっても、アモルファス等の薄膜のものであってもよく、薄膜等にあっては、基材となる金属板等に一体化してシート状（板状）或いはボード状にしたものであってもよい。
前記太陽電池セルとしては、一般的には片面受光型を用いるが、発電量を増大させるために両面受光型を用いてもよく、この場合、太陽電池モジュールの下方に反射部を介在させればよい。
また、前記枠体は、前記太陽電池モジュールの四つの辺に配する上側枠、下側枠、左右の側方枠からなり、各枠体は、太陽電池モジュールの周縁を保持する保持部と、下方へ垂下する側壁とを備える。
そして、前記太陽電池モジュールの周縁に前記枠体を設けて太陽電池パネルとした。
【００１６】
本発明における前記「開口部」は、側壁の下方部分に形成した部分的或いは一定幅の空部でも、側壁に形成した複数の孔でもよく、太陽電池パネルの裏面側の空気を排出できるものであれば特に限定するものではない。前者の態様（空部）でも後者の態様（孔）においても、形成方法やその形状を限定するものではなく、下端から切断、くり貫き、穿設等の加工を施してもよいし、枠体の高さを予め短く（側枠に比して）成型してもよいし、また側壁に予め空部や孔が形成されるように成形してもよい。
【００１７】
前者の態様では、この開口部（空部）が、配設状態において、下地との間に形成されるため、この空部を太陽電池モジュールのケーブルを通す空間として積極的に利用することができる。また、この態様の開口部（空部）は、雨水や積雪等を堰き止めることなく、水下側へ流すことができ、そのため、太陽電池モジュールの裏面側へも導くことができる。
一般的に隣接する太陽電池モジュールを連結するために、ケーブルを通すために枠体の一部を切り欠く等の加工を施すが、この態様では、そのような加工を必要としない。
【００１８】
後者の態様では、この開口部（孔）を、配設状態において上側枠の水上側に沿わせる固定部材や取付部材等の係止縦片と固定するための締着ボルトの取付箇所としても用いることができる。
一般的に太陽電池モジュールの水上側端縁の固定は、上側枠の上端を、固定部材等に設けた保持片（部）にて押さえ保持していた。しかし、この構成では、当該押さえ部分が突出するため、ゴミ等が堆積し易いという問題があった。
この態様では、上側枠の側壁に開口部（孔）を設け、この開口部（孔）に締着ボルトを取り付けることができるため、突出する部位がなく意匠性に優れ、ゴミ等を堆積させることもない。
【００１９】
前述のように本発明の目的は、太陽電池モジュールの裏面側の空間から、効率的に熱量を排出して太陽電池の発電効率の低下を防ぐことであるが、この裏面側の空間とは、太陽電池パネルと下地間に形成されるものであればよく、波状或い立ち上げ部等を有する外装構造等の下地の形状によって高さ幅が部分的に大きく形成されるものであってもよいし、略平坦状の下地に対して直接的に太陽電池パネルを敷設して太陽電池モジュールと周縁の枠体で囲まれる略均等な薄い空間であってもよいし、持出金具や取付部材、横桟、縦桟等の支持部材などを取り付けた下地と太陽電池パネル間に形成されるものでもよい。
どのような裏面側空間であっても、該空間中にて温められた空気（熱量）は、より高い位置に移動しようとするため、前述のように流れ方向の上側枠に開口部を設けることにより、空間中にて温められた空気（熱量）を外部へ放出することができる。なお、この空間への外部からの空気の流入は、前述の略平坦状の下地に対して直接的に太陽電池パネルを敷設する態様を除いて、周囲のどの方向からも行われる。略平坦状の下地に太陽電池パネルを直接的に敷設する態様では、下側枠にも開口部を設けて空気を流入させることが望ましい。
また、このような裏面側空間は、軒棟方向或いは桁行き方向、或いはその両方に連続するものであっても、独立したものであってもよい。
【００２０】
前述の「流れ方向に隣接する太陽電池パネルは、一定の間隔で敷設して開放部を形成する」構成とは、流れ方向に隣接する太陽電池パネルを一定間隔で離間させて配設して開放部を形成することを意味している。
後述する図示実施例に示すように、太陽電池パネルの端部を位置規制すると共に開放部の間隔を保持することができる取付部材を予め下地に固定し、この取付部材に太陽電池パネルを配設することで、一定間隔の開放部を形成するようにしてもよい。
また、「開放部の風上側に敷設状態で太陽電池パネルの表面から突出する起立部を設けた」とは、一般的に屋根勾配、屋根面の流れ方向である棟側から軒側へと全く逆に、軒側から棟側へ吹き上げる吹き上げ風の風上側、即ち開放部における水下側に起立部を設けることを指している。
【００２１】
前記開放部に設けられる起立部は、全ての開放部に設けるものであっても、部分的に設けるものであってもよい。また、起立部は、太陽電池の辺に対して全長に亘って設けるものでも部分的に設けるものであってもよい。更に、起立部は、太陽電池表面に対して略鉛直状であっても、内側、外側への傾斜状であってもよい。また、起立部は、略平坦状の起立片状でも、弧状（曲面状）又は段状の起立片状でもよい。
また、起立部は、枠体自体に一体に成型されてもよいし、外設部材として取り付けるものでも、取付部材等に予め一体化されたものであっても、別体からなる起立部をビス、ボルト・ナット等の締着や嵌合、係合、接着或いはこれらを併用して間接的に下地に取り付けるものでもよく、さらには別体からなる起立部を取付部材等と共締めしてもよい。
【００２２】
そして、この起立部を太陽電池パネルの隣接間隔（開放部）に設けることにより、起立部に当たった風が上方に乱流を起こし、起立部の上端を減圧状態とするため、太陽電池パネルの裏面空間の空気が前記開口部から表面側へ吸い出す作用が果たされ、裏面空間の空気の流れを著しく速め、太陽電池セル自体が発生する温度を抑えることで発電効率の低下を防ぐことができる。
【００２３】
本発明の太陽電池パネルの敷設構造は、前記構成の太陽電池パネルを以下に示す下地上に敷設してもよいし、各種の壁に取り付けるようにしてもよい。
本発明に用いる下地は、既存の瓦、スレート、金属等の公知の屋根でも、新たに敷設される瓦、スレート、金属等からなる屋根でも、太陽電池の裏面側に屋根としての雨仕舞性能を有するものが望ましく、その仕様を問うものではなく、例えば塩ビ等の防水シートからなる防水層でもよい。また、金属等によって構成される既存もしくは新設の屋根は、横葺き状、縦葺き（瓦棒葺き、平滑状等）、折板等の如何なるものであってもよい。
これらの下地を構成する部材に直接太陽電池パネルを取り付けてもよいし、各種の取付金具や取付架材、持出金具、横桟、縦桟等の取付具を介して太陽電池パネルを取り付けるようにしてもよい。即ち本発明における下地としては、上述の下地、又はそれに取り付ける取付材をも含むものである。
【実施例】
【００２４】
図１及び図２に示す第１実施例の太陽電池パネル１の構築構造は、下地として、流れ方向に沿うハゼ組み式の折板屋根３０のハゼ部３５，３５'に取り付けられた持出金具４に、太陽電池モジュール１０の周縁に側壁を有する枠体１１〜１４を設けた太陽電池パネル１を敷設したものであって、前記太陽電池パネル１の枠体１１〜１４のうち、流れ方向の上側枠１１，下側枠１４は、開口部１１０，１４０を備え、流れ方向に隣接する太陽電池パネル１，１は、一定の間隔で敷設して開放部１５を形成すると共に、この開放部１５の風上側に起立部２を設けた構造である。
【００２５】
この第１実施例における下地を構成する前記折板屋根３０は、山部と谷部とを構成する外装材３Ａと、躯体（Ｈ鋼）３Ｂ上に固定されて前記外装材３Ａを保持する保持部材（タイトフレーム）３Ｃとからなる。この外装材３Ａは、略平坦状の平板部３１の左右に傾斜状に立ち上がる立ち上がり部３２，３２を有し、各立ち上がり部３２の上端に外側へ延在する載置部３３が形成され、この載置部３３の外側を略鉛直状に起立させて起立部３４とし、隣接する外装材３Ａ，３Ａの当該部分を重合させてカシメてハゼ部としたものであり、外側に位置する重合部３５と内側に位置する被重合部３５'とした構成である。
この折板屋根３０のハゼ部３５，３５'には、図１（ｂ）に示す左右分割型の本体４Ａと略ハット型の連結枠体４Ｂと上向きの縦ボルト４Ｃとからなる持出金具４が所定間隔にて一体化されて取り付けられ、取り付けられた持出金具４の受けフランジ４１に、取付部材１が一体的に固定されている。この本体４Ａは、上端に略平坦状の受けフランジ４１が設けられ、その下方に通孔を有する縦片部分を介して外方へ膨出状の包持部４２が設けられ、さらにその他方に着座部４３が設けられている。そして、この本体４Ａと連結枠体４Ｂと縦ボルト４Ｃとは、係合状に組み合わされ、その着座部４３を折板屋根３０の載置部３３上に受支させると共に、その包持部４２がハゼ部３５，３５'を覆うように配置した状態で前記縦片部分に設けた通孔に連結具４４を締着することにより一体化されている。
【００２６】
前記下地（持出金具４）上に敷設する太陽電池パネル１は、太陽電池セル１０をガラス等に積層させてモジュール化し、周縁に枠体（フレーム）１１〜１４を配して敷設したものであり、この枠体１１〜１４は、それぞれ上端に略コ字状の保持部分を有し、該保持部分から下方へ沿在する縦部分（側壁）を有する。
この枠体１１〜１４のうち、流れ方向の上側枠１１，下側枠１４は、前述のように開口部１１０，１４０を有するが、この第１実施例では側壁の高さを予め短く成型して開口部１１０，１４０とした。
また、左右の側方枠１２，１３は、側壁に開口部を設けず、その下端からそれぞれ内側へ略水平状に延在し、更にその先端を折り上げた浅受皿状の着底部１２１，１３１を形成した。この着底部１２１，１３１は、太陽電池パネル１の敷設状態において、複数の前記持出金具４の受フランジ４１上に受支される。また、この着底部１２１，１３１の浅受皿状の内側には、図示しない太陽電池モジュール１０のケーブルが垂れ落ちないように収容可能である。
【００２７】
前記開放部１５は、流れ方向に隣接する太陽電池パネル１，１の配設間隔であり、この開放部１５の風上側である水下側には、前述のように起立部２が設けられている。
この第１実施例では、開放部１５の水下側に配設した太陽電池パネル１の上側枠１１に起立片（部）２の下端を嵌合して一体的に固定している。
また、起立片（部）２は、下端を略鉛直状に、その上方を水上側へ傾斜状に形成している。
そして、上側枠１１には、水上側へ略Ｌ字状に突出して上方が開放する取付溝１１１が設けられ、起立片（部）２の下端には、略楔状の係止端を設けたので、上方から弾性的に嵌合させて固定することができる。
【００２８】
なお、前述のように太陽電池パネル１は、側方枠１２，１３に設けた着底部１２１，１３１を持出金具４の受フランジ４１上に受支させた状態で敷設するが、その固定は、側方枠１２，１３を押さえる押さえ材５Ａにて上方から押さえ保持した。
前記押さえ材５Ａは、断面が逆ハット状のピース金具であって、左右の横片が側方枠１３，１２の上端を押さえる保持部であり、中央の横片に形成した孔から前記持出金具４の縦ボルト４Ｃの先端を突出させてナット４Ｄを締め付けて固定する。なお、押さえ材５Ａの中央の横片と持出金具４の受フランジ４１間には、断面が逆Ｕ字状の台状部材５Ｂや略筒状の台状部材５Ｃが介在されて一体的に固定されている。
【００２９】
このように、本発明の太陽電池パネル１の敷設構造は、起立部２を太陽電池パネル１，１の隣接間隔（開放部１５）に設けることにより、起立部２に当たった風が上方に乱流を起こし、起立部２の上端を減圧状態とするため、太陽電池パネル１の裏面空間１６の空気が前記開口部１１０から表面側へ吸い出す作用が果たされ、裏面空間１６の空気の流れを著しく速め、太陽電池セル１０自体が発生する温度を抑えることで発電効率の低下を防ぐことができる。なお、裏面空間１６は、太陽電池モジュール１０の裏面側に位置する空間全てを指すものであって、モジュール１０自体の裏面側ばかりでなく、枠体１１〜１４の裏面をも含むものである。
【００３０】
また、この第１実施例では、太陽電池パネル１の対向する上側枠１１に開口部１１０を設けたので、風の流れを図２（ｄ）の拡大断面図に矢印にて示すように、上側枠１１に設けた開口部１１０を空気の排出用として用いることができ、開口部を形成しない左右の側方枠１２，１３を、太陽電池モジュール１０を支持する強度を担う枠体として用いることができる。
【００３１】
さらに、この第１実施例では、開口部１１０，１４０が、配設状態において、下地３０との間に形成されるため、この空部を太陽電池モジュール１０のケーブルを通す空間として利用することができる。また、この態様の開口部１１０，１４０は、雨水や積雪等を堰き止めることなく、水下側へ流すことができ、太陽電池モジュール１０の裏面側１６へも導くことができる。
【００３２】
図３に示す第２実施例は、より簡易な形状の押さえ部材５Ｄを用いて側方枠１２'，１３'の上端を押さえ保持したものである。また、起立片（部）２'は、略鉛直状に形成されている。それ以外の構成、例えば太陽電池モジュール１０や下側枠１４等については前記第１実施例と全く同様であるから、図面に同一符号を付して説明を省略する。
この第２実施例における側方枠１２'，１３'は、着底部１２１'，１３１'の形状が浅受皿状でなく略Ｌ字状であって、押さえ部材５Ｄが下地への固定部を保持部とを備え、台状部材（５Ｂ，５Ｃ）を必要としない略Ｚ字状のピース金具である。
そして、この第２実施例でも前記第１実施例と同様の効果が果たされる。
【００３３】
図４及び図５に示す第３実施例の太陽電池パネル１"の構築構造は、水上側から見た斜視図である図６に示す太陽電池パネル１"を用いたものであって、前記第１、第２実施例の太陽電池パネル１，１'の長辺が折板屋根３０の流れ方向に沿うように配設したのに対し、この第３実施例では太陽電池パネル１"の短辺が折板屋根３０の流れ方向に沿うように配設する点で異なる。
また、前記第１、第２実施例の開口部１１０，１４０が側壁の下半部分を空部としたのに対し、この第３実施例では上側枠１１"に形成した開口部１１０"が複数の（楕円）孔である点でも異なる。
さらに、前記第１、第２実施例では太陽電池パネル１，１'を略平坦状に敷設したのに対し、この第３実施例では太陽電池パネル１"を傾斜状に敷設することで段状とした点でも相違する。
【００３４】
この第３実施例の太陽電池パネル１"は、流れ方向に対向する上側枠１１"，１４"が長辺であり、左右の側方枠１２"，１３"が短辺であり、このうち上側枠１１"のみに複数の孔である開口部１１０"が形成されている。
この複数の孔からなる開口部１１０"は、上側枠１１"の水上側に沿わせる取付部材６Ａの係止縦片６３と固定するための締着ボルト１ｃの取付箇所としても用いた。また、一つ一つの楕円孔は締着ボルト１ｃの頭部より大きかったため、上側枠１１"の内側に座金材１ｂを配し、外側から配したナット１ｄを締め付けて太陽電池パネル１"を開口部１１０"に固定した。
【００３５】
この第３実施例では、前述のように太陽電池パネル１"を傾斜状に敷設することで段状とした構成であるが、具体的には、折板屋根３０に取り付けた持出金具４上に固定した取付部材６Ａに、流れ方向に隣接する太陽電池パネル１"，１"の端部を固定することにより太陽電池パネル１"，１"を傾斜状に敷設する。
この取付部材６Ａは、図６に示すように一枚の金属板材を断面略ハット状に成形した成形体であって、略一定高さに形成した胴部６１と、その水上側に側壁から下方へ延在する突出部６２と、前記胴部６１の上面を略垂直状に切り起こして形成した係止縦片６３と、さらにその上端を傾斜した取付傾斜片６４とからなる。
そして、この取付部材６Ａは、前記胴部６１の略中央に形成した孔から前記持出金具４の縦ボルト４Ｃの先端を突出させてナット４Ｄを締め付けて固定した。
なお、前記取付部材６Ａの取付傾斜片６４の外側には、起立片（部）２"を沿わせ、ビス２ｂを打ち付けて起立片（部）２"を固定した。
【００３６】
そして、前記取付部材６Ａの胴部６１の水下側に、下段側の太陽電池パネル１"の水上端部を配置すると共に、前記突出部６２上に上段側の太陽電池パネル１"の水下端部を配置した状態で固定するので、太陽電池パネル１"は傾斜状に敷設される。太陽電池パネル１"の固定については、略Ｚ字状の押さえ材５Ｅを太陽電池パネル１"の下側枠１４"の上端に沿わせ、ボルト５ｆ及びナット５ｇで胴部６１に一体的に固定した。
なお、図５（ａ）に示すようにこの取付部材６Ａの係止縦片６３に対し、下段側の太陽電池パネル１"の水上端を突き当てた状態で前述の開口部１１０"に締着ボルト１ｃを容易に固定することができ、また前記胴部６１の水上端には隅部状の切欠空部６１０が形成されているので、該切欠空部６１０に上段側の太陽電池パネル１"の水下端を安定に配設することができる。即ちこの取付部材６Ａは、太陽電池パネル１"，１"間を一定間隔（開放部１５）に保持して容易に配設することができる位置規制作用及び間隔保持作用をも有している。
【００３７】
この第３実施例でも前記第１実施例と同様の効果が果たされ、特に上側枠１１"の側壁に設けた開口部１１０"が複数の孔で形成されているため、この開口部１１０"に締着ボルト１ｃを取り付けることができ、突出する部位がなく意匠性に優れ、ゴミ等を堆積させることもない。
【００３８】
また、この第３実施例では、太陽電池パネル１"を傾斜状に敷設することで段状としたので、太陽光を効率良く受けることができる角度に太陽電池パネル１"を設置することができ、しかも太陽電池モジュール１０の裏面空間１６の上端の傾斜勾配も強くなるため、より容易に空気（熱量）を排出することができる。
【００３９】
図５（ｃ）に示す第４実施例は、胴部６１の水上端には隅部状の切欠空部６１０が形成されない取付部材６Ａ'を用い、高さ幅が高い押さえ材５Ｅを用い、太陽電池パネル１"を下地に略平行状に敷設した点が相違する以外は、前記第３実施例と全く同様であるから、図面に同一符号を付して説明を省略する。なお、斜視図及び側断面図は、前記第３実施例と殆ど同様であるから省略する。
この第４実施例は、太陽電池パネル１"を下地に対して略平行状に敷設すればよく、下地の傾斜角度、即ち屋根勾配が比較的大きい場合に好適である。
【００４０】
図７及び図８に示す第５実施例の太陽電池パネル１"の構築構造は、折板屋根３０に取り付けられた持出金具４，４に架け渡すように（流れ方向に沿うように）縦桟状の支持部材７Ａが固定され、該支持部材７Ａ上を長さ方向に位置調整可能な取付部材６Ｂが固定され、流れ方向に隣接する取付部材６Ｂ，６Ｂ間に太陽電池パネル１"を配設する。
【００４１】
前記支持部材７Ａは、図８（ｃ）に示すように上面（支持面）７１及び右側面７２に長さ方向に沿う溝状部７１１，７２１を設けた略四角柱状であって、上面（支持面）７１に設けた溝状部７１１は取付部材６Ｂの取付に際し、溝状部７１１内を移動させるボルト７ｂ（ナット７ｃ）にて容易に取付位置を調整することができ、成形誤差や取付誤差にも柔軟に対応することができる。また、押さえ材５Ｈの取付に際し、溝状部７１１内を移動させるボルト７ｇ（ナット７ｈ）にて容易に取付位置を調整することができ、成形誤差や取付誤差にも柔軟に対応することができる。さらに、右側面に設けた溝状部７２１は前記持出金具４への取付に際し、同様に溝状部７２１内を移動させるボルト７ｄにて容易に調整でき、成形誤差や取付誤差にも柔軟に対応できる。
【００４２】
この支持部材７Ａは、前述のように持出金具４に取り付けられるが、Ｌ型材７Ｆを介して固定され、Ｌ型材７Ｆの横片に形成した孔から前記持出金具４の縦ボルト４Ｃの先端を突出させてナット４Ｄを締め付けて固定し、Ｌ型材７Ｆの縦片に形成した孔からこの支持部材７Ａの溝状部７２１からボルト７ｄの先端を突出させてナット７ｅを締め付けて固定し、持出金具４、Ｌ型材７Ｆ、及び支持部材７Ａは一体に固定される。
【００４３】
前記取付部材６Ｂは、図７（ｂ）に示すように一枚の金属板材を断面略Ｌ字状に成形した成形体であって、略鉛直状の縦面部分６５の下端に、右方側へ折曲して略水平状に延在させた固定片６６が形成され、前記縦面部分６５の前端側に、左方側へそれぞれ略直角状に折曲した支持横片６７、係止縦片６８、及び取付傾斜片６９が形成されている。そのうち最も下方に位置する支持横片６７は略水平状に延在する横片であり、その上方に位置する係止縦片６８は略鉛直状に延在する縦片であり、更にその上方に位置する取付傾斜片６９は鉛直面から僅かに傾斜状に配設される傾斜片である。
前記胴部６１の略中央に形成した孔から前記持出金具４の縦ボルト４Ｃの先端を突出させてナット４Ｄを締め付けて固定する。
そして、この取付部材６Ｂは、前記固定片６６の略中央に形成した孔から前記持出金具４の縦ボルト４Ｃの先端を突出させてナット４Ｄを締め付けて固定した。
【００４４】
そして、折板屋根３０に持出金具４を取り付ける点については、前記第１〜第４実施例と同様であるが、前述のように持出金具４上に前記支持部材７Ａを固定し、この支持部材７Ａに対して固定した取付部材６Ｂに、流れ方向に隣接する太陽電池パネル１"，１"の端部を固定することにより太陽電池パネル１"，１"を傾斜状に敷設する。
この第５実施例では、前記取付部材６Ｂの縦面部分６５の水下側に形成された支持横片６７に、下段側の太陽電池パネル１"の水上端部を配置（載置）すると共に、前記縦面部分６５の水上端に上段側の太陽電池パネル１"の水下端部を突き合わせるように配置した状態で固定するので、太陽電池パネル１"は傾斜状に敷設される。太陽電池パネル１"の固定については、略Ｚ字状の押さえ材５Ｈを太陽電池パネル１"の下側枠１４"の上端に沿わせ、ボルト７ｇ及びナット７ｈで固定片６６に一体的に固定した。
なお、この取付部材６Ｂの支持横片６７に対し、下段側の太陽電池パネル１"の水上端を載置する際には、水上端（縦縁）を係止縦片６８に突き当てるように配設した状態で開口部（孔）１１０"に締着ボルト１ｃを前記第３実施例と同様に座金材１ｂ及びナット４ｄを用いて固定する。また、前記縦面部分６５の水上端に、上段側の太陽電池パネル１"の水下端を突き当てるように安定に配設することができる。即ちこの取付部材６Ｂは、前記第３実施例における取付部材６Ａと同様に、太陽電池パネル１"，１"間を一定間隔（開放部１５）に保持して容易に配設できる位置規制作用及び間隔保持作用を果たす。
【００４５】
この第５実施例でも前記第３実施例と同様の効果が果たされ、開口部１１０"を複数の孔で形成したため、突出する部位がなく意匠性に優れ、ゴミ等を堆積させることもなく、太陽電池パネル１"を傾斜状に敷設することで段状としたため、太陽光を効率良く受けることができる角度に太陽電池パネル１"を設置でき、しかも太陽電池モジュール１０の裏面空間１６の空気（熱量）をより容易に排出することができる。
【００４６】
図９（ａ）〜（ｃ）は、本発明における太陽電池パネル１の典型的な配列例を示すものであって、図面の右側が水上側、左側が水下側であり、左から右に向かって専ら風が吹くものと想定した場合を示し、空気の流れを太白矢印にて示している。
図９（ａ）は各太陽電池パネル１は略平行状に配設された例であり、前記第１実施例がその一例に相当するが、起立部２にて太陽電池パネル１の表面を流れる空気の流れに乱流を形成することにより、裏面側の空気１６は、起立部２に近接する開放部１５から排出される。
図９（ｂ）は各太陽電池パネル１は流れ方向の上側を高くする傾斜状に配設された例であり、前記第３実施例がその一例に相当するが、裏面側の空間１６では、太陽電池パネル１の裏面を傾斜状に流れ、開放部１５から排出される。
図９（ｃ）は前記図９（ａ）と同様に各太陽電池パネル１が略平行状であるが、起立部２を備える太陽電池パネル１の水下側に、起立部２を備えない太陽電池パネル１を近接状に配設した例であり、恰も太陽電池パネル１の長さが２倍になったかのように空気の流れは流れ、前記図９（ａ）と同様に裏面側の空気１６は、起立部２に近接する開放部１５から排出される。このように起立部２は、全ての開放部１６に設けるものであっても、部分的に設けるものであってもよい。
【符号の説明】
【００４７】
１  太陽電池パネル
１０  太陽電池モジュール
１１〜１４  枠体
１１  上側枠
１１０  開口部
１２，１３  側方枠
１４  下側枠
１４０  開口部
１５  開放部
１６  裏面空間
２，２'  起立片（部）
３０  折板屋根
３Ａ  外装材
４  持出金具
４Ｃ  縦ボルト
５Ａ，５Ｄ  押さえ材
６Ａ，６Ｂ  取付部材
６３，６８  係止縦片
７Ａ  支持部材
【図１】
2014125834.tif 000003
【図２】
2014125834.tif 000004
【図３】
2014125834.tif 000005
【図４】
2014125834.tif 000006
【図５】
2014125834.tif 000007
【図６】
2014125834.tif 000008
【図７】
2014125834.tif 000009
【図８】
2014125834.tif 000010
【図９】
2014125834.tif 000011